(57)【特許請求の範囲】
【請求項１】
内壁に設けた収納ポケットに磁気記録部を有するカードを収納し、前記内壁と外壁との間隙の、前記収納ポケットに対向する位置に磁気シールド材を固定配置してなる収納ケースであって、
前記磁気シールド材は、板厚を０．１ｍｍ以上乃至〜０．２ｍｍ未満、比透磁率を５０００とする鉄板であり、前記カードは、磁場の磁束密度が１５０ｍＴから６０ｍＴ以下に減衰するよう前記磁気シールド材に対して１．６ｍｍ以上離隔して配置して前記収納ポケットに収納されることを特徴とする磁気シールド機能付き収納ケース。
【請求項２】
通帳の磁気記録部での磁場の磁束密度が４０ｍＴ以下となるように、前記通帳を前記磁気シールド材から３．０ｍｍ以上離隔して収納することを特徴とする請求項１に記載の磁気シールド機能付き収納ケース。
【発明の詳細な説明】
【技術分野】
【０００１】
本発明は、磁気ストライプなどの磁気記録部を有するカードや通帳などを収納する収納ケースに係り、特に磁気記録部の磁気情報の消失を防止することの出来る磁気シールド機能付き収納ケースに関する。
【背景技術】
【０００２】
キャッシュカード、クレジットカード、ＩＤカード、預金通帳の磁気ストライプには各種の情報が磁気情報の形で格納されている。使用時にこの磁気ストライプの磁気情報は読み取り機で読み取られ、予め登録されている情報と照合される。照合結果が真の場合には所定の取引が実行され、照合結果が偽の場合には、取引が禁止される。
これらのカードや通帳の磁気ストライプに格納されている磁気情報は強力な磁気に曝露されると磁気が消失してしまう（磁気消失）。磁気消失がおこるとカードや通帳は使用が
出来なくなってしまう。そこで、通常は磁気消失をおこさないように強力な磁気を発するテレビなど電気製品に近づけないようにして保管又は携帯している。
【０００３】
しかし、最近、思わぬことで磁気消失がおこることが判明している。携帯電話、ゲーム機、デジタルカメラ、ヘッドフォン、ノートパソコン等は、内部に磁気を発する電子部品が搭載されており、例えば携帯電話とカードや通帳とを一緒にバッグに収納して携帯すると磁気消失がおこってしまう。
また、磁石を用いたバッグの留め具はかなり強力な磁気を発することが判明しており、バッグに収納されているカードや通帳に対して磁気消失をおこす。従って、磁気を遮蔽（シールド）してカードや通帳の磁気消失を防止するための収納ケースの必要性が高まっている。
【０００４】
先行技術文献には、磁気シールド機能付き収納ケースがいくつか紹介されている。
特許文献１には、パルプ繊維、カーボン繊維、及び熱可塑性繊維で磁気シールド性シート材を製造し、この磁気シールド性シート材の複数枚をクロス状に積層して紙製磁気シールド性シートを構成し、このクロス状に積層した紙製磁気シールド性シートを、袋状、開閉式、又はバッグ式等のケースに構成し、磁気カードを隠蔽可能とした構成のカードケースが記載されている。
特許文献２には、磁気カード、ＩＣカード等の磁気記録を有するカード収納部を有するカード収納構成物本体と、このカード収納部に設けられた外部からのスキャニングを防止する磁気シールド材とからなるスキャニング防止収納物が記載されている。
【先行技術文献】
【特許文献】
【０００５】
【特許文献１】特開２００６−２５２３２５号公報
【特許文献２】特開２００６−２１８２４１号公報
【発明の概要】
【発明が解決しようとする課題】
【０００６】
磁気シールド材によって、磁気を遮蔽（シールド）すればカードや通帳の磁気消失は防止できるが、遮蔽効果を完全にしようとすると、磁気シールド材の厚みが厚くなり、その結果、収納ケースが重くなってしまうという不具合がある。従って収納ケースの最適な設計に当っては、現実的に遭遇する磁場の大きさ、磁気消失を免れるカードや通帳面での磁場の大きさ、磁気シールド材の種類及び磁気シールド材とカードや通帳との間の距離等の関係について種々の検討が必要となる。
前述の特許文献１，２に記載されている収納ケースでは、これらの検討がなされていないため、最適な収納ケースが提供されているとはいえない。
本発明はこれら従来の欠点に鑑み、種々の検討結果を踏まえた最適設計の磁気シールド機能付き収納ケースを提供することを目的とする。
【課題を解決するための手段】
【０００７】
出願人の発明者はカードや通帳の磁気ストライプが受ける磁界の磁束密度が磁気シールド材を介在させることによりどのように変化するかを、磁気シールド材を鉄板とし、その板厚をパラメータとして、磁気シールド材と磁気ストライプとの距離を変化させて測定を行った。
その結果、カードにおいては、磁気ストライプでの磁場の磁束密度が６０ｍＴ（ミリテスラ）以下に、また通帳においては４０ｍＴ以下となるように収納すれば、磁気消失は防止できることを見出し、本発明をなすに到った。
【０００８】
本発明は、カードの場合、内壁に設けた収納ポケットに磁気記録部を有するカードを収納し、前記内壁と外壁との間隙の、前記収納ポケットに対向する位置に磁気シールド材を固定配置してなる収納ケースであって、前記磁気シールド材は、板厚を０．１ｍｍ〜０．２ｍｍ、比透磁率を５０００とする鉄板であり、前記カードは、磁場の磁束密度が１５０ｍＴから６０ｍＴ以下に減衰するよう前記磁気シールド材に対して１．６ｍｍ以上離隔して配置して前記収納ポケットに収納されることを特徴とする。
通帳の場合には、通帳の磁気記録部での磁場の磁束密度が４０ｍＴ以下となるように、前記通帳を前記磁気シールド材から３．０ｍｍ以上離隔して収納することを特徴とする。
【発明の効果】
【０００９】
本発明では、磁気消失を免れるための種々の検討を行った上で作成しているので、軽量で実用的な収納ケースが実現できる。
【図面の簡単な説明】
【００１０】
【図１】本発明の一実施例に係る収納ケースの構成を示す斜面図。
【図２】図１に示す収納ケースの一部切欠き斜面図。
【図３】本発明の収納ケースに通帳を収納した状態を示す斜面図。
【図４】収納ケースの部分断面図。
【図５】磁気ストライプに到達する磁場の大きさを測定するための測定模式図。
【図６】磁気シールド材と磁気ストライプとの距離と磁気ストライプでの磁束密度（ｍＴ）との関係を示す図。
【図７】（ａ）は磁気ストライプ付カード、（ｂ）は磁気ストライプ付通帳を示す図。
【発明を実施するための形態】
【００１１】
以下、本発明の実施の形態について説明する。本発明は磁気ストライプ付カードや通帳などを収納する収納ケースに関する。図１は、本発明の一実施例に係る収納ケース１００の構成を示す斜面図である。また、図２は図１に示す収納ケースの一部切欠き斜面図である。収納ケース１００は、例えば皮で出来た表部材１０２を外壁とし、布で出来た裏部材１０４を内壁とし、これを周辺を縫合して作製されている。周辺にはチャック１０６が設けられ、開閉が出来るようになっている。収納ケースの内部は、仕切り板１０８により２つに区分されている。内壁にはカードを収納するための４つの収納ポケット１１０ａ〜１１０ｄが設けられている。内壁と外壁との間隙の、収納ポケット１１０ａ〜１１０ｄに対向する位置には磁気シールド材１１２ａ，１１２ｂが固定配置されている。収納ポケット１１０ａ〜１１０ｄには、それぞれカード１１４ａ〜１１４ｄが１枚ずつ収納される。
【００１２】
図７は、磁気ストライプ付カード１１４及び磁気ストライプ付通帳１１６をそれぞれ示したものである。
磁気ストライプ付カード１１４については国際標準化機構（ＩＳＯ）が国際規格として、ＩＳＯ／ＩＥＣ７８１０、ＩＳＯ／ＩＥＣ７８１１、ＩＳＯ／ＩＥＣ７８１２、ＩＳＯ／ＩＥＣ７８１３、ＩＳＯ８５８３、ＩＳＯ／ＩＥＣ４９０９という規格を策定しており、カードの物理形状、大きさ、硬さ、磁気ストライプ１１４０の位置、磁気特性、データフォーマットなどを定めている。
【００１３】
より新しいカードとしては、ＩＣチップを搭載したＩＣカードがある。キャッシュカードやクレジットカードでは磁気ストライプとＩＣとを両方備えたハイブリッド型のカードがよく使われている。これは従来型のリーダにも新しいリーダにも対応できるようにするためである。
預金通帳１１６では、磁気ストライプ１１６０は裏表紙または表紙・裏紙双方に貼付され、記帳処理などに用いられている。磁気ストライプ１１６０は通帳の長辺に沿って設けられる場合もあれば、短辺に沿って設けられる場合もある。
【００１４】
国内規格としては、ＪＩＳＸ６３０１：２００５がＩＳＯ／ＩＥＣ７８１０：２００３に、６３０２：２００５がＩＳＯ／ＩＥＣ７８１１：２００３のコピーで規格が定められている。磁気ストライプは主に４０００Ｏｅ（エルステッド）の高保磁力のものと３００Ｏｅの低保磁力のものが使用されているが、中間の保磁力のものもある。
高保磁力の磁気ストライプは磁気消失（消磁）されにくく、頻繁に読み取られる用途や長期間の使用が想定される場合に適している。低保磁力の磁気ストライプは、書き込みに際してあまり磁気エネルギを必要としないので書き込み用の装置が安価である。
【００１５】
図１に示す収納ケース１００では、収納ポケット１１０ａ〜１１０ｄにそれぞれ１枚ずつのカード１１４ａ〜１１４ｄを収納している。収納に際しては、磁気ストライプが収納ケース１００の外側に向かうように収納してもよいし、収納ケースの内側へ向かうように収納してもよい。通帳１１６の収納は、収納ポケットではなく、仕切り板１０８で仕切られた収納ケースの内側に図３に示すように収納する。この場合も、磁気ストライプの向きはカードの場合と同様にどちら向きであってもよい。通帳１１６の収納枚数は限定されない。
【００１６】
次に、外部からの磁気を遮蔽（シールド）する磁気シールド材１１２ａ、１１２ｂの配置について説明する。ここで用いる磁気シールド材１１２としては、比透磁率μが５０００で、板厚が０．１ｍｍ〜０．２ｍｍの鉄板を用いる。比透磁率μが高い程磁気シールド効果は高いので硅素鋼やスーパーマロイを使用することも考えられるが高価であり、また加工に困難性が伴うため、鉄板を使用することとした。鉄板の板厚ｄは厚い程、磁気シールド効果は高いが、厚いと重くなるため、最適な厚さを選択する必要がある。そこで後述する磁束密度Ｂの測定結果に基き、０．１ｍｍ〜０．２ｍｍの範囲とすることとなった。
【００１７】
図４は、収納ポケットに収納された磁気ストライプ付カードと磁気シールド材との関係を説明するための収納ケースの部分断面図である。
図４を参照すると、磁気シールド材１１２は、収納ケースの表部材１０２と裏部材１０４との間隙１０５に固定配置されている。磁気ストライプ１１４０の付いたカード１１４は裏部材１０４を介して、磁気シールド材１１２に対向するように収納ポケット１１４に収納されている。この時の磁気シールド材の板厚をｄとし、磁気シールド材１１２と対向するカード１１０の磁気ストライプ１１４０までの距離をＡとする。距離Ａは実質的に裏部材１０４の厚さと等しい。
【００１８】
収納ケースの外部から表部材１０２を通して印加される磁場の強度は、磁気シールド材１１２により減衰し、裏部材１０４を介してカード１１４の磁気ストライプ１１４０に達する。即ち、磁束密度ＢがＢａからＢｂに減少する。ここで表部材１０２や裏部材１０４の比透磁率μはほぼ１に近いので、その影響はほどんど考慮しなくてもよく、磁束密度ＢがＢａからＢｂに減少するのは、磁気シールド材１１２の厚さｄと距離Ａとに基くと考えることができる。
【００１９】
そこで、最適な磁気シールド材１１２の厚さｄとカード１１４の磁気シールド材１１２への対向位置Ａとを定めるために、発明者は図５に示す、磁気ストライプに到達する磁場の大きさを測定するための測定模式図を用いて測定実験を繰り返した。
まず、磁気シールド材１１２として、板厚０．２ｍｍの鉄板と、板厚０．１ｍｍのスチールペーパーとを用意した。
磁気シールド材１１２の上面側に厚さ１．４５ｍｍの厚紙２００を介してネオジム（Ｎｄ）磁石（４５ＳＨ  ６×６×６ｍ）３００を配置し、磁気シールド材１１２の下面側にＮｄ磁石３００に対向する位置にテスラメータプローブ４００を配置し、距離Ａを変えながら磁束密度Ｂを測定した。なお測定値はピーク値である。測定機は、カネテック（株）製のテスラメータＴＭ−６０１、測定プローブＴＭ６０１ＰＲＢを使用した。測定結果を表１及び図６に示す。
【００２０】
【表１】
0006055148.tif 000002
【００２１】
一方、発明者は、磁気ストライプに達する磁束密度Ｂと磁気消失との関係について実験を行った。まず、実際に遭遇する磁気消失をおこす磁束密度は１５０ｍＴ程度であり、磁気消失は、カードの場合、６０ｍＴで、通帳の場合４０ｍＴに達すると発生することが分かった。この結果を図６に示す測定結果に当てはめると、カードの場合、カード１１０と磁気シールド材１１２との距離Ａを１．６ｍｍ以上離隔して配置すれば、板厚を０．１ｍｍとしても磁束密度は５７ｍＴとなり６０ｍＴ以下となるため磁気消失は発生しない。
また、通帳の場合、距離Ａを３．０ｍｍ以上離隔して配置すれば、板厚を０．１ｍｍとしても磁束密度は３７ｍＴとなり４０ｍＴ以下となるため磁気消失は発生しない。
【００２２】
以上から、磁気シールド材を板厚が０．１ｍｍ〜０．２ｍｍ、比透磁率が５０００の鉄板で作製し、カードの場合、この磁気シールド材に対して１．６ｍｍ以上離隔して配置して収納ポケットに配置すれば磁気消失を防止することができる。また通帳の場合は、磁気シールド材から３．０ｍｍ以上離隔して収納されていれば磁気消失は免れる。
【符号の説明】
【００２３】
１００：収納ケース
１０２：表部材
１０４：裏部材
１１０，１１０ａ〜１１０ｄ：収納ポケット
１１２，１１２ａ，１１２ｂ：磁気シールド材
１１４，１１４ａ〜１１４ｄ：カード
１１６，１１６ａ，１１６ｂ：通帳
【要約】
【課題】磁気ストライプの磁気消失防止機能付き、カードや通帳の収納ケースを提供する。
【解決手段】内壁に設けた収納ポケットにカードを収納し、内壁と外壁との間隙の、収納ポケットに対向する位置に磁気シールド材を固定配置してなる収納ケースにおいて、磁気シールド材は、板厚を０．１ｍｍ〜０．２ｍｍ、比透磁率を５０００とする鉄板であり、カードは磁場の磁束密度が１５０ｍＴから６０ｍＴ以下に減衰するよう磁気シールド材に対して１．６ｍｍ以上離隔して配置して収納ポケットに収納する。
【選択図】  図１【図１】
0006055148.tif 000003
【図２】
0006055148.tif 000004
【図３】
0006055148.tif 000005
【図４】
0006055148.tif 000006
【図５】
0006055148.tif 000007
【図６】
0006055148.tif 000008
【図７】
0006055148.tif 000009